(57)【要約】【課題】  不意の波浪や使用者の潜水行動による海水の浸入に対し、使用者が、パニックを起こさない構造の水遮断装置のついたシュノーケルの提供。【解決手段】  水遮断装置の内部にピンポン玉のような浮きを入れ、遮断装置下部には五徳形状の浮きを支える突起を設け、また遮断装置上部はジョーゴ形状にして空気の流入は円滑に、かつ水の通過は阻止できるような構成とした。遮断装置下部には、五徳形状の支持部材の代わりに多数の通気孔を持った二重底構造にして浮きを支持する構成としてもかまわない。                      【選択図】  図１
2007112418.tif 000002
【特許請求の範囲】
【請求項１】
シュノーケルの水遮断装置を構成する器の内部に球形の浮きを入れ、当該器の内部への空気の流入穴を当該器の底部に設け、空気の排出孔を当該器の天井に開け、球形の浮きが、当該器の底部の空気の流入穴の上に載ると、穴を塞ぐ事に、なるので、それを防止する方法として、当該器の内側の空気の流入穴の周囲に、五徳形状の球形の浮きを載せる台を設け、空気の流入穴から球形の浮きを引き離す役目を負わせ、当該器の内側の底部の形を、漏斗形状の底部にした、器内に侵入して来た水を、自動的に遮断する機能を持った構成の水遮断装置を備えた、水上でも水中でも使用可能なシュノーケル。
【請求項２】
請求項１の如き構造のシュノーケルにおいて、水遮断装置の底部の空気通気穴の上部に通気孔を開ける、あるいは幾条もの開口部を設けた二重底構造にしたことを特徴とする水遮断装置を備えたシュノーケル。
【請求項３】
請求項１の如き構造のシュノーケルの頭部、先端の空気吸い込み口に、ごみ除けフィルターを取り付けたシュノーケル。
【請求項４】
一つのシュノーケルに、請求項１、の如き構造の水遮断装置を、２個、上段と下段に分けて取り付け、２個の水遮断装置の流通経路が、一つのルートになる様に管で連結し、空気吸い込み口から入って来る空気が、上段の水遮断装置の中を通過し、連結管の中を下って、次は、下段の水遮断装置の中を通過し、その先の、マウスピースに達する様にし、水遮断装置を２個、  取り付ける事で、安全性を万全にした、シュノーケル。
【発明の詳細な説明】
【技術分野】
【０００１】
本発明は、シュノーケルに関し、特に、空気吸い込み口から水が侵入して来た場合、水が使用者の口に入らない様、水を遮断する装置ならびにこの水遮断装置のついたシュノーケルに関する。
【背景技術】
【０００２】
従来の、シュノーケルにおける水の浸入を防ぐ水遮断装置は、シュノーケル内部への浸水防止装置であり、水上に突き出して使用する装置であった。使用者が不意に、潜った場合や突然の波浪に襲われた場合、空気吸い込み口から水が侵入する。この水が使用者のマウスピースまで到達し、パニック状態となって海難事故に会うケースが多発した。また従来のフロートによる水の遮断はフロートと空気導入管の隙間から水が侵入し、侵入した水が使用者の口まで入ることを防ぐことはできなかった。又、従来の、シュノーケルの防水装置は空気の流入穴を装置の横側に開けてあるので当該装置が水中に入ると横側の空気の流入穴から水が侵入し、侵入した水に押し上げられたフロートが当該装置の天井側の空気孔を、閉塞し、内部への、水の侵入を防ぐ構造ではあるが、何かの事故で水が当該装置に侵入した場合、使用者が窒息し、かつ使用者の口に直行する欠陥があった。
【特許文献１】特開２００１−０５８５９６
【特許文献２】特開平１０−０５３１９２
【特許文献３】実開昭４７−５０４８２
【発明の開示】
【発明が解決しようとする課題】
【０００３】
本出願は、水上での使用のみならず、不意の水の浸水があったときも、シュノーケルの空気導入管を通って使用者の口まで水が達しないようにした水遮断装置のついたシュノーケルを提供するものである。当該遮断装置を２個取り付け、２重に水の浸入をブロックする、さらに安全性を高めたシュノーケルを提供するものである。
【課題を解決するための手段】
【０００４】
水遮断装置を構成する円筒形の容器は、図１に示すように透明な材質で作り外側から内部の状態が見える構造にし、当該容器の内部空間は直径を４ｃｍ位、高さを６ｃｍ位にする。其の内部空間には、球形の浮き３を入れる。
【０００５】
当該容器の内部への空気の流入穴を、当該容器の底部に開け、空気の流出孔を、当該容器の天井に開け、球形の浮き、が当該容器の底部の空気の流入穴に接触する様に載ると、空気の流入穴を完全に塞ぐ事になるので、それを防止する方法として、当該容器の内側の、空気の流入穴の周囲に、五徳形状の物８を設け、球形の浮き、を載せる台にし、空気の流入穴から、球形の浮きを引き離す役目を負わせる構造にする。当該容器の中に水が浸入して来た場合は、浮き３が当該容器の内部の天井側の空気孔に密着し、水を遮断する機能を持つ、水遮断装置になる。
【０００６】
空気の流通経路を説明する。図２に示すようにシュノーケルに水遮断装置を１個だけ、付けた場合の説明である。水面上から取り入れる空気は５の矢印のように水遮断装置２の底部の穴から水遮断装置に流入し、内部を上昇し、天井側の穴から流出して、管の中を通り、今度は下降し、其の先端の、マウスピース４を経て人間の口中に到る訳である。水が侵入して来た場合も同一の経路を辿るが水遮断装置の中で、自動的に遮断される。
【０００７】
漏斗形状の底部と五徳形状の物８此の二つの構造によって、使用中に、シュノーケルの中に侵入して来た水を排出する方法として、口で銜えた、マウスピースに、肺の中の空気を、一気に吹き込む簡単な行為だけで、水の排出を可能にする機能を持たす事が出来る様になる。
【０００８】
添付図面の図９から１２を参照して、シュノーケルの安全装置を更に万全なものにする方法を示す。一つのシュノーケルに、水遮断装置を２個、とり付け、２個の水遮断装置の流通経路が一つのルートになる様に、管で連結し、空気吸い込み口から入って来る空気が、上段の水遮断装置２の中を通過し、連結管の中を下って、次は下段の水遮断装置２の中を通過し、其の先の、マウスピース４に達する様にし、水が侵入して来た場合、上段の当該装置で、其の水を遮断し、其処で万一、水漏れがあった場合、更に、下段の当該装置で遮断すると、シュノーケルの安全性は万全なものに、なり、シュノーケルによる事故死を、無くする事に、繋がると信じる。
【０００９】
図７〜図８に示すように、シュノーケルの頭部、先端の、空気吸い込み口に、ごみ除け、フィルター１０を取り付ける。ごみ除けフィルター１０は取り外し、取り付けが出来る構造にする。ごみ除けフィルター１０は排水の時、多少、邪魔物になるからである。シュノーケルに、水遮断装置を、１個だけ取り付ける場合図２の場合も、２個取り付ける場合図４の、２通りあるが、垂直に立てた、シュノーケルの垂直部の管にごみ除けフィルター１０が取り付けられる。
【００１０】
空気の流通経路と、侵入した水を排出する仕組み、方法、を説明する。
シュノーケルに、２個の水遮断装置を、上段と下段に、取り付けた場合、図１１〜図１２の符号５の矢印参照のように肺から吐き出された空気は、マウスピースを通り、次は、下段の水遮断装置を、遮られる事なく通過する。
【００１１】
通過出来る理由は、各、水遮断装置の底部に、五徳形状の物が在り、それが、球形の浮き、を載せる台の、役目を負い、球形の浮き、を空気の流入穴から引き離し空気の流通を確保しているからである。空気は、それから、管の中を矢印の進行方向に上昇し、その先、上段の水遮断装置の天井側の穴から中に入り、其処に滞留している水を、肺から吐き出した空気で押し出し、頭部先端の空気吸い込み口１から、排出する。水が排出された後は、  図１１〜図１２  の図にある矢印  符号５  に示された、進行方向とは、逆の進行方向に、空気は、進行する事になる。    つまり、矢印は方向変換し  頭部、先端の空気吸い込み口  符号１  から空気は流入して、上段の水遮断装置を通過し、管の中を下降し、下段の水遮断装置を通過し、マウスピースに至る訳である。
後は、呼吸と、共に、空気は、頭部先端の空気吸い込み口と、マウスピース間の、往復を繰り返し、シュノーケル本来の役目を、取り戻す事になる。
【００１２】
水遮断装置で、水を遮断する装置の仕組みを説明する。図１、図９参照
水が水遮断装置の底部の、空気の流入穴から中に侵入する場合、水は水遮断装置を、
満たしながら上昇する。球形の浮き３は、侵入して来た、水の上に浮き、水よりも、先行して上昇し、水遮断装置の天井に達する事になる。
天井側の形状は、漏斗を逆さま、にした形状なので、球形の浮き３は自動的に漏斗の中心の空気の流出孔に、誘導される様に上昇し、穴に密着し、栓の役目をして、穴を閉塞し、水を遮断する事になる。
【００１３】
水遮断装置に侵入して来た水は、其処で遮断されるが、球形の浮き、が水遮断装置の天井側の空気の流出孔を塞ぐので、呼吸の為の空気も、遮断される事になる。
空気が入って来ない為、呼吸出来ない状況は、数秒単位の短い時間であればパニックを起こさずとも冷静に対応策を取れるし空気が入って来ないと感知した時、シュノーケルの中に、水が侵入した為に、起こった現象である事を理解して、おけば、動転せずとも済み、冷静に、其の現象への対策が出来る。
【発明の効果】
【００１４】
パニックの如き事態になった時の、対策としては、口に、銜えている、マウスピースに、肺の中の空気を、一気に吐き出せば、よい。ただ、それだけの行為で、シュノーケルの中の水を、外部に排出できる構造に、なっている。
水の排出を更に容易にするには、シュノーケルの管状部分の内側の直径を、可能な限り、細くすることである。細くする事で、水の排出が、容易に、なるのである。水の排出が容易な構造は、シュノーケルの必須機能であり、海上保安庁や警察庁も肯定する、シュノーケルの必須機能である。
【００１５】
水遮断装置の内側底部の形を漏斗形状にする理由は、水遮断装置に滞留する水を肺から吐き出した空気で排出する場合、空気は水遮断装置の天井側の穴から入り、水遮断装置の中に滞留する水の、表面に圧力を加え、漏斗形状になっている底部の中心の穴に押し込む様に、流し込む訳であるが、底部の形が漏斗形状に、なってない場合、つまり平坦な場合、水遮断装置に滞留する水を排出する時、シュノーケルが傾斜していると、水を全部排出する事は出来ず、少量は残留する。だから底部の形を漏斗形状に、しなければ、ならない。
【発明を実施するための最良の形態】
【００１６】
口に銜えた、マウス、ピースに肺の中の空気を一気に吹き込む、ただ、それだけの、簡単な行為で、侵入した水を排出、出来る機能は、シュノーケルの実用性を、著しく高めるものであり、其の機能を持つ構造にした理由は、ダイビングを職業と、する人達に、シュノーケルに付いての意見、を求めたところ、該機能が、シュノーケルの必須条件であり、海上保安庁や警察庁も、其の機能の必要性を、肯定する筈だと表現したからである
【実施例】
【００１７】
シュノーケルの水遮断装置の効果の有無を、模型で実験し、答えを出すべく、小型のペットボトルを２本、胴体を切断し、底部は捨て、瓶の口の、ついた上側だけを２本、使用し、１本を逆さまにして、瓶の口が、上下に、２箇付いた形状になる様に、胴体部同士を接着するが、其の前に、中に、ピンポン球を、入れる、そして接着する。  出来上がった時の、形状は瓶の底部に、もう一つ、瓶の口があり、中に、球形の浮き、を有する、本出願の添付図面  図１  の水遮断装置の形状の模型になった。
【００１８】
其の模型の空気吸い込み口に当たる下側の、瓶の口に、ゴム、ホースを、つなぎ、水道水を流し込み、水遮断効果の有無を、実験して見た所、中のピンポン球が、内部に侵入して来た水の上に、浮き、水より先行して上昇し、上側の瓶の口に密着し、栓の役目をして、見事に、水遮断する事を、確認した。
【００１９】
実際の使用状況を想定して、其の模型を色んな角度に傾斜させての実験をした結果、傾斜角度、６０度以上、仰角、３０度以下の場合、フロートの、上昇が遅くなる事も、判った。此の実験をしたのは、平成１７年の９月で、第１回目の出願をした頃であった。平成１８年２月に先行技術調査資料が送られて来て、其の資料に、ピンポン球が中に入っている水遮断装置の横側を空気の流入穴にした、書類を見て、其の図面の形状に近い模型を、ペットボトルで作り実験をした。空気穴を横側にした模型と、底部を空気穴にした模型に、分けての、実験で、瓶を、傾斜させたり、垂直にしたり、実際の使用状況に近い、実験をした結果、瓶の口を、閉塞する、ピンポン球の上昇速度は、空気の流入穴を、底部にした模型に分がある事が判った。底側が断然確実で、速く、ピンポン球が栓の役目をし、瓶の口を閉塞したのである。
【００２０】
たらいや、バケツに水を満たし、その中に突っ込む、やり方での実験を、した訳である。此の実験で、水遮断装置の横側を、空気の流入穴にすると、極めて、危険だと判った。そして今から、３０年以上前の、昭和４７年に出願された、４７−０５０４８２  や平成１０年に公開された  特開平１０−５３１９２等、水遮断装置の横側を空気の流入穴にした製品が、現在、販売されてない事が、其の実験の答えを、別の角度から証明をしていると、思考する。
それを、製品化して販売したとすれば、事故が多発したであろうと、思うし、事故多発で、製品は回収したか、自然消滅したのであろうと、推測する。
【００２１】
上記の実験で、本出願の水遮断装置も、６０度以上の傾斜、仰角３０度になると弱い事が判ったので、これを製品化した場合、使用者への注意喚起が必要だと覚った。しかし、使用中に、シュノーケルが６０度も傾斜する事は秒単位の瞬間で、使用者が注意すれば防げるし、水遮断装置を、２個付ければ、万全の安全対策になる。瞬間の秒単位の傾斜で、侵入する水量は、極めて少量の筈だから、当該装置で水遮断は出来るし、少量の浸水でも感知出来るので、その時は、肺の中の空気を、マウスピースに、一気に吹き込めば解決出来る事である。  
長時間のシュノーケルの傾斜は、使用者が、顔面を、水中から上げた場合だけだと、判った。
【図面の簡単な説明】
【００２２】
【図１】水遮断装置の内部構造図、球形の浮き、が、五徳形状の物に、載っている図
【図２】水遮断装置の付いたシュノーケルの全体図    矢印は空気の進行方向。
【図３】図１の水遮断装置の五徳形状の物４本脚の、拡大俯瞰図
【図４】浸入した水の上に球は浮き、上昇し天井の穴に密着し、穴を塞ぐ栓の役目をして、穴を閉塞し、水も空気も遮断している図
【図５】図１を左横側から見た図、矢印は空気の進行方向を表す。
【図６】図２を左横側から見た図、矢印は空気の進行方向を表す。
【図７】空気吸い込み口に取り付ける、ごみ除けフィルターの横面図
【図８】ごみ除けフィルターの拡大俯瞰図、
【図９】浸水を上段の水遮断装置で遮断し、下段の水遮断装置には水が来てない状態の図
【図１０】図９の状態を、裏側から見た姿図
【図１１】肺から吐き出された空気の進行方向を表す。符号５は空気の進行方向、上段の水遮断装置の中の水が空気と共に、吐き出される寸前を現す
【図１２】図１１の姿を裏側から見た図
【図１３】水遮断装置の内部の底に、五徳形状の物が無い場合の姿図
【図１４】水遮断装置の底部を２重底構造にした場合の姿図
【図１５】２重底の上側の底の通気孔  拡大  俯瞰図
【符号の説明】
【００２３】
１    空気吸い込み口
２    水遮断装置
３    球形の浮き、軽い物質
４    マウスピース
５    空気の進行方向
６    水
７    空気の流通孔
８    五徳の役目をする４本脚の突起物  
１０    ごみ除け、フィルター
１１    水面の線    喫水
１２    水遮断装置の内部２重底の上側の底
【図１】
2007112418.tif 000003
【図２】
2007112418.tif 000004
【図３】
2007112418.tif 000005
【図４】
2007112418.tif 000006
【図５】
2007112418.tif 000007
【図６】
2007112418.tif 000008
【図７】
2007112418.tif 000009
【図８】
2007112418.tif 000010
【図９】
2007112418.tif 000011
【図１０】
2007112418.tif 000012
【図１１】
2007112418.tif 000013
【図１２】
2007112418.tif 000014
【図１３】
2007112418.tif 000015
【図１４】
2007112418.tif 000016
【図１５】
2007112418.tif 000017